(57)【要約】【課題】加湿機能、空気清浄機能及び温風暖房機能を有する器具を提供する。【解決手段】水タンク２を収納可能なタンク収納部３を形成し、所定量の貯水を可能とした下枠体４及び上枠体５とから成る器具本体１と、該器具本体１内にはファン７によって吸込口１０から吸引した空気を吹出口１２から吹き出す送風路８を設け、該送風路８には電気ヒータ９を備え抗菌作用を有すると共に、耐熱性及び通気性及び吸水性を有したフィルター手段６を位置させたことで、一台の器具で加湿と空気清浄及び温風暖房の三役で使用出来、効率的に使用されて使用勝手が極めて良いもであり、又冬期だけでなく空気清浄器としてオールシーズン利用されて無駄がなく、更にトイレ等の狭い場所での使用には好適であり、極めて便利である。【選択図】  図１
2005331174.tif 000002
【特許請求の範囲】
【請求項１】
水タンクを収納可能なタンク収納部を形成し、所定量の貯水を可能とした下枠体及び上枠体とから成る器具本体と、該器具本体内にはファンによって吸込口から吸引した空気を吹出口から吹き出す送風路を設け、該送風路には電気ヒータを備え抗菌作用を有すると共に、耐熱性及び通気性及び吸水性を有したフィルター手段を位置させた事を特徴とする加湿及び空気清浄機能付き電気ヒータ。
【請求項２】
前記器具本体内には加湿用の水の有無を検知する水センサを備え、器具本体内に水有りの場合は、加湿器として機能し、水無しの場合には、空気清浄器或いは電気暖房器として機能する事を特徴とする請求項１記載の加湿及び空気清浄機能付き電気ヒータ。
【発明の詳細な説明】
【技術分野】
【０００１】
この発明は一台で、加湿機能及び空気清浄機能及び電気暖房機能の３機能を有する加湿及び空気清浄機能付き電気ヒータに関するものである。
【背景技術】
【０００２】
従来よりこの種のものでは、電気ヒータとファンとを器具本体内に備え、室内をクリーンな温風で暖房するものであった。（例えば、特許文献１参照。）
【特許文献１】特開平１０−７３２５９号公報
【発明の開示】
【発明が解決しようとする課題】
【０００３】
ところでこの従来のものでは、電気暖房機能しかなく冬期のみしか使用されず、効率的でなく使用勝手が悪いものであった。
【課題を解決するための手段】
【０００４】
この発明はこの点に着目し上記問題点を解決する為、特にその構成を請求項１では、水タンクを収納可能なタンク収納部を形成し、所定量の貯水を可能とした下枠体及び上枠体とから成る器具本体と、該器具本体内にはファンによって吸込口から吸引した空気を吹出口から吹き出す送風路を設け、該送風路には電気ヒータを備え抗菌作用を有すると共に、耐熱性及び通気性及び吸水性を有したフィルター手段を位置させたものである。
【０００５】
又請求項２では、前記器具本体内には加湿用の水が所定量貯水されていることを検知する水位センサを備え、器具本体内に水有りの場合は、加湿器として機能し、水無しの場合には、空気清浄器或いは電気暖房器として機能するものである。
【発明の効果】
【０００６】
この発明によれば、水タンクに水を入れて器具本体にセットし、電気ヒータとファンを駆動させれば、加湿器として室内の加湿が行え、又水タンク及び下枠体の水を抜いて、ファンのみ駆動させれば、フィルター手段の抗菌作用で空気中の雑菌が殺菌され室内の衛生環境を清潔な状態に保持される空気清浄が行われ、又電気ヒータとファンを駆動させれば、フィルター手段の抗菌作用で空気中の雑菌が殺菌され室内の衛生環境を清潔な状態に保持される空気清浄と、室内の温風暖房特にトイレ空間の空気清浄と暖房とが同時に行え、一台三役で効率が良く極めて使用勝手が良いものである。
【発明を実施するための最良の形態】
【０００７】
次にこの発明の一実施形態を図面に基づいて説明する。
１は器具本体で、水タンク２を収納可能なタンク収納部３を形成し、所定量の貯水を可能とした下枠体４及び上枠体５とから構成されている。
【０００８】
６は耐熱繊維に白金や銀、銅等の抗菌作用を有する物質、ここでは白金を充填して構成されたフィルター手段で、吸水性及び通気性を有して下端を下枠体２に貯水される水に浸しており、上部は室内空気を送風するファン７の送風路８にバネを利用して取り付けられている。
【０００９】
前記フィルター手段６は、２つのフィルターを縦に重ね合わせ、その中央にシーズヒータから成る電気ヒータ９を上下方向に備えたもので、水タンク２に水を入れタンク収納部３にセットすることでの加湿と、水を抜くことによる空気清浄と温風暖房とを行うものである。
【００１０】
１０は室内空気の吸込口で、白金等を充填し抗菌作用を有する空気フィルター１１を備え、空気中の雑菌を除去する第１のフィルターとするものであり、１２は送風路８の吹出口である。
【００１１】
１３は制御手段を構成するマイコンで、加湿スイッチ１４のＯＮによる加湿運転時に、下枠体２内の水の有無を検知する水センサ１５が水を検知していることを条件として、電気ヒータ９及びファン７に通電して加湿を行わせるものであり、空気清浄スイッチ１６の空気清浄運転時、下枠体２内に水がないことを水センサ１５が検知していることを条件として、ファン７のみを駆動させて空気清浄を行わせるものであり、又空気清浄／暖房スイッチ１７のＯＮによる空気清浄及び温風暖房運転時、下枠体２内に水がないことを水センサ１５が検知していることを条件として、電気ヒータ９及びファン７に通電して空気清浄及び温風暖房を行わせるものである。
【００１２】
次にこの一実施形態の作動について説明すれば、今水タンク２に水を入れ器具本体１のタンク収納部３にセットし、加湿スイッチ１４をＯＮすることで、電気ヒータ９及びファン７に通電し駆動させることにより、フィルター手段６は中央から加熱され吸い上げた水が蒸発気化し、ファン７の送風で吹出口１２から室内に放出されて、室内を強力に加湿するものである。
【００１３】
更に水タンク２及び下枠体２内の水を抜くと共に、空気清浄スイッチ１６をＯＮすることで、ファン７のみが通電されて駆動し、室内空気を吸込口１０の空気フィルター１１を介して吸い込むことで、空気中のゴミが除去されると共に、抗菌作用により一部の雑菌が殺菌除去され、そしてこの空気は更にフィルター手段６を通過することで、吸引空気中の雑菌は完全に殺菌除去され、空気清浄が良好に行われるものである。
【００１４】
更に水タンク２及び下枠体２内の水を抜くと共に、空気清浄／暖房スイッチ１６をＯＮすることで、加湿時と同じく電気ヒータ９は通電されてファン７も駆動するが、水がないのでフィルター手段６による水の吸い上げがなく、水の蒸発気化もなくなり、ファン７の駆動で室内空気を吸込口１０の空気フィルター１１を介して吸い込むことで、空気中のゴミが除去されると共に、抗菌作用により一部の雑菌が殺菌除去され、そしてこの空気は更にフィルター手段６を通過することで、吸引空気中の雑菌は完全に殺菌除去され、又電気ヒータ９で加熱されて温風となり、室内空気の清浄と同時に温風暖房が行われるものである。
【００１５】
以上のように、一台の器具で加湿と空気清浄及び温風暖房の三役で使用出来、効率的に使用されて使用勝手が極めて良いもであり、又冬期だけでなく空気清浄器としてオールシーズン利用されて無駄がなく、更にトイレ等の狭い場所での使用には好適であり、極めて便利である。
【図面の簡単な説明】
【００１６】
【図１】この発明の実施形態の概略構成図。
【図２】同気化フィルターの分解斜視図。
【図３】同要部電気回路のブロック図。
【符号の説明】
【００１７】
１  器具本体
２  水タンク
３  タンク収納部
４  下枠体
５  上枠体
６  フィルター手段
７  ファン
８  送風路
９  電気ヒータ
１１  マイコン
【図１】
2005331174.tif 000003
【図２】
2005331174.tif 000004
【図３】
2005331174.tif 000005